(57)【要約】【課題】  ファクシミリに設定されている時刻をユーザに煩雑な操作をさせずに、自動的に時刻を設定できるようにする。【解決手段】  標準電波を受信する受信手段をファクシミリ装置に有し、標準電波を受信できる時にはその行為だけ行い、標準電波を受信できない時にはある設定した時間になった時に公衆回線を使用して時報を聞くことでファクシミリ装置の時刻をあわせる。【選択図】  図１
2009141865.tif 000002
【特許請求の範囲】
【請求項１】
公衆回線網とのインターフェースを有する公衆回線網を使用して通信を行う通信手段と、標準電波を取得する電波受信手段と、現在の時刻や設定時刻を管理する管理部と時刻の調整や更新を行う時刻調整部からなる時刻制御手段と、通常電力モードと使用する電力を抑えた低消費電力モードを有するファクシミリ装置であり、標準電波が受信できず、標準電波を正常に受信してから一定時間以上の時間が経過している場合には、公衆回線網を使用し時報から時刻合わせを行うことを特徴とするファクシミリ装置。
【発明の詳細な説明】
【技術分野】
【０００１】
本発明は設定時刻を自動的に調整可能とするファクシミリ装置に関する。
【背景技術】
【０００２】
ファクシミリ装置の時刻は時間とともに正確な時刻から外れてしまうことがある。装置内に使用する発振器を正確に発振する物を使用するなどして正確な時刻が刻めるようにしているが限界がある。そのため自動時刻合わせを行うために外部から正確な時刻を受取るための手段を必要としている。特許文献１に開示の時計機構によれば、公衆回線網に接続された電子機器が発呼を行い音声認識手段を用いて時報サービス局から送られてくる音声から時計機構の時刻を合わせること方法が記されている。また特許文献２に開示されたファクシミリ装置によれば、標準電波を受信できる手段を用いてファクシミリ装置の時刻を合わせる方法が記されている。
【特許文献１】特開平０５−１０００５９号公報
【特許文献２】特開平０９−２７５４６７号公報
【発明の開示】
【発明が解決しようとする課題】
【０００３】
しかしながら、上記公開特許公報に記載した時計機構、もしくは、ファクシミリ装置では、以下のような問題点があった。すなわち、特許文献１に示された技術では、時刻を取得するために毎回公衆回線を使用するため通信料が課金されてしまう。また、特許文献２に示された技術では、標準電波が受信できない場合に時刻を自動的に合わせることが出来ないという問題があった。本発明は、上記の問題点を改善するためのものであり、その目的とするところは、通信料の課金を必要最低限に抑え、時刻合わせを自動的に確実に行うことを目的としている。
【課題を解決するための手段】
【０００４】
上記した目的を達成するために、本発明は、公衆回線網とのインターフェースを有する公衆回線網を使用して通信を行う通信手段と、標準電波を取得する電波受信手段と、現在の時刻や設定時刻を管理する管理部と時刻の調整や更新を行う時刻調整部からなる時刻制御手段と、通常電力モードと使用する電力を抑えた低消費電力モードを有するファクシミリ装置であり、標準電波が受信できず、標準電波の受信が成功してから一定時間以上の時間が経過している場合には、公衆回線網を使用し時報から時刻合わせを行うことを特徴とする。
【発明の効果】
【０００５】
本発明のファクシミリ装置によれば、装置に設定されている時刻がほぼ正確な時刻になっており、時報サービスを利用するための公衆回線を使用する回数を必要最低限に抑えることができるので課金される機会が減らすことができる。
【発明を実施するための最良の形態】
【０００６】
以下、図面を参照して本発明における一実施例を説明する。
【０００７】
図１は、本発明を適用したファクシミリ装置の概略構成を示すブロック図である。
【０００８】
ファクシミリ装置において、制御部１、ファクシミリのシステムを全体を制御する。
【０００９】
メモリ2は、制御部１が実行する制御プログラムや組み込みオペレーションシステムプログラム等を格納するROMやプログラム制御変数や管理データを格納するSRAMや、像データを蓄積するDRAM等で構成される。スキャナ３は、CISイメージセンサやCCDセンサによって原稿を光学的に読み取り、電気的な画像データに変換した画像信号を制御部1に出力する。プリンタ4は、レーザビームプリンタやインクジェットプリンタ等からなる印刷装置であり、カラー画像データ、またはモノクロ画像データを印刷部材に印刷する。操作部５は、数値入力キー、文字入力キー、ワンタッチ電話番号キー、スタートキー、ストップキー、セットキー、送信キー等を備え、ユーザが画像送信相手先データの決定や設定データの登録動作を行う。表示部６は、LEDとLCD等により構成され、オペレータによる各種入力操作や、装置の動作状況、状態表示等を行う。画像処理部７は、スムージング処理や記録濃度補正処理、色補正等の各種画像処理を行い、また、画像データ（ＭＨ、ＭＲ、ＭＭＲ、ＪＢＩＧ、ＪＰＥＧ等）を符号復号化処理や、拡大縮小処理を行う。MODEM８は、通信回線から来る画像データを復調し、通信回線に送る画像データを変調を行い、通信回線から送られてくる音声を音声認識により解析することができる。NCU９は、回線からの呼び出し信号を着信したかを識別することが出来、回線とMODEM８間の信号が交信できるレベルに変更する。電源部１０は、装置全体に電力を供給することと、通常電力モードと低消費電力モードで出力する電圧を変化させている。標準電波受信部１１は、標準電波（情報通信研究機構(KICT)日本標準時プロジェクトの発信する日本標準時）を取得する。時刻調整部１２は、標準電波受信部１１や公衆回線を利用した時報サービスにより取得した現在時刻に装置に設定されている現在時刻とを比較し、調整や更新を行う。時刻管理部１３は、装置にある現在時刻と設定された時刻の管理を行う。時刻制御部１４は、時刻調整部１２、時刻管理部１３からなっている。制御線１５は、制御部１が管理し、それぞれを相互に接続している。
【００１０】
次に、本発明の実施例にかかる標準電波の受信について、図２のフローチャートを用いて説明する。
【００１１】
図２は、本発明の実施形態に係るファクシミリ装置における標準電波の受信の流れを示すフローチャートである。
【００１２】
ステップＳ１で、時刻管理部１３に設定されている標準電波を受信する時刻（Ｔr）になったかを確認し、受信する時刻（Ｔr）になるまで待つ。ステップＳ１で標準電波を受信する時刻（Ｔr）になった時は、ステップＳ２で、通常電力モード（すべてのパーツがいつでも動作可能状態）か低消費電力モード（電源電圧を通常電力モードの半分にし、スキャナ３やプリンタ４などには電力の供給を止め、必要な部分のみに電力を供給している状態）かを確認し、低消費電力モードであった場合はステップＳ３に進む。ステップＳ３で、次回通常電力モードになった場合に標準電波を取得しにいくようにする取得フラグを立て、時刻管理部１３に記憶しておく。ステップＳ２で通常電力モードであった場合は、ステップＳ４で、標準電波を受信するための準備を行う。ステップＳ５で、標準電波が正常に受信できたかを確認し、出来なかった場合は終了する。ステップＳ５で標準電波を正常に受信できた場合は、ステップＳ６で、受信した日本標準時Ｔjと本体時刻Ｔ１を比較し、ＴjとＴ１の時間差が設定した時間差（Ｄ１）内（D１＞｜Ｔj−Ｔ１｜）であれば本体時刻Ｔ１を変更せず、設定した時間差以上（D１＜｜Ｔj−Ｔ１｜）あれば受信した日本標準時Ｔjに置き換える。（設定した時間差は時刻管理部に設定されている。）ステップＳ７で、公衆回線を使用して時報を取得しに行くまでのタイマー（Ｔt）をリセットし終了する。
【００１３】
次に、本発明の実施例にかかる低消費電力モードと標準電波の受信の関係について、図３のフローチャートを用いて説明する。
【００１４】
図３は、本発明の実施形態に係るファクシミリ装置における低消費電力モードと標準電波の受信の関係についての流れを示すフローチャートである。
【００１５】
ステップＳ１１で、通常電力モードか低消費電力モードかを確認し、通常動作モードであった場合は、ステップＳ１２で、最後に動作した後、一定時間以上経過しているかを確認する。一定時間以上経過していなければステップＳ１１に戻る。ステップS１２で、一定時間以上経過していれば、ステップ１３で、スキャナ３、プリンタ４、表示部６、画像処理部７、MODEM８、標準電波受信部１１への電力供給を止め、電源部１０の出力電圧を通常電力モード時の半分にし終了する。ステップＳ１１で、低消費電力モードであった場合は、ステップＳ１４で外部トリガ（操作部５のキーか押下された、公衆回線からの呼び出し信号がＮＣＵ９に到着した。）があったかどうかを確認し、無かった場合はステップＳ１１に戻る。ステップＳ１４で、外部トリガがあった場合は、ステップＳＳ１６で取得フラグがあるかを確認する。取得フラグが無かった場合はステップＳ１７に進み、外部トリガのかかった動作を行って終了する。ステップＳ１６で取得フラグがあった場合は、ステップＳ１８で、標準電波を受信するための準備を行う。ステップＳ１９で、標準電波が正常に受信できたかを確認し、出来なかった場合は、ステップＳ１７で、外部トリガのかかった動作を行って終了する。ステップＳ１９で電波を正常に受信できた場合は、ステップＳ２０で、受信した日本標準時Ｔjと本体時刻Ｔ１を比較し、ＴjとＴ１の時間差が設定した時間差（Ｄ１）内（D１＞｜Ｔj−Ｔ１｜）であれば本体時刻Ｔ１を変更せず、設定した時間差以上（D１＜｜Ｔj−Ｔ１｜）あれば受信した日本標準時Ｔjに置き換える。（設定した時間差は時刻管理部に設定されている。）ステップＳ２１で、公衆回線を使用して時報を取得しに行くまでのタイマー（Ｔt）をリセットし、ステップＳ１７に進み、外部トリガのかかった動作を行って終了する。
【００１６】
次に、本発明の実施例にかかる公衆回線を使用して時報サービスのアクセスについて、図４のフローチャートを用いて説明する。
【００１７】
図４は、本発明の実施形態に係るファクシミリ装置における公衆回線を使用して時報サービスのアクセスする流れを示すフローチャートである。
【００１８】
ステップＳ３１で、通常電力モードか低消費電力モードかを確認し、通常電力モードになるまで次のステップには進まない。ステップＳ３１で通常電力モードであった場合、ステップＳ３２で、前回の標準電波取得から起動しているタイマー（Ｔt）が設定値（Ｄ２）を超えているかを確認する（ＴrとＴrの間隔とＴtの値は（Ｔr（ｎ）−Ｔr（ｎ−1））＜Ｔtの関係ある。）。（Ｄ２−Ｔt）＞０の場合はステップS３１に戻り、（Ｄ２−Ｔt）≦０の場合は、ステップS３３に進む。ステップS３３で、標準電波を受信するための準備を行う。ステップＳ３４で、標準電波が正常に受信できたかを確認し、受信できた場合は、ステップS３５で、受信した日本標準時Ｔjと本体時刻Ｔ１を比較し、ＴjとＴ１の時間差が設定した時間差（Ｄ１）内（D１＞｜Ｔj−Ｔ１｜）であれば本体時刻Ｔ１を変更せず、設定した時間差以上（D１＜｜Ｔj−Ｔ１｜）あれば受信した日本標準時Ｔjに置き換える。（設定した時間差は時刻管理部に設定されている。）ステップＳ３６で、公衆回線を使用して時報を取得しに行くまでのタイマー（Ｔt）をリセットし終了する。ステップS３４で標準電波を受信できなかった場合は、ステップS３７で、公衆回線を使用してＮＴＴが提供してる時報サービス（１１７）に電話をかける。ステップＳ３８で、ＭＯＤＥＭ内に内蔵されている音声認識により時報サービスから送出される音声を解析して現在時刻Ｔnを取得する。ステップＳ３９で、取得したＴnと本体時刻Ｔ１を比較し、ＴnとＴ１の時間差が設定した時間差（Ｄ１）内（D１＞｜Ｔn−Ｔ１｜）であれば本体時刻Ｔ１を変更せず、設定した時間差以上（D１＜｜Ｔn−Ｔ１｜）あれば受信した日本標準時Ｔnに置き換える。（設定した時間差は時刻管理部に設定されている。）ステップＳ４０で、公衆回線を使用して時報を取得しに行くまでのタイマー（Ｔt）をリセットし終了する。
【図面の簡単な説明】
【００１９】
【図１】本発明を適用したファクシミリ装置の概略構成を示すブロック図である。
【図２】本発明の実施形態に係るファクシミリ装置における標準電波の受信の流れを示すフローチャートである。
【図３】本発明の実施形態に係るファクシミリ装置における低消費電力モードと標準電波の受信の関係についての流れを示すフローチャートである。
【図４】本発明の実施形態に係るファクシミリ装置における公衆回線を使用して時報サービスのアクセスする流れを示すフローチャートである。
【符号の説明】
【００２０】
１  制御部
２  メモリ
３  スキャナ
４  プリンタ
５  操作部
６  表示部
７  画像処理部
８  MODEM
９  NCU
１０  電源部
１１  標準電波受信部
１２  時刻調整部
１３  時刻管理部
１４  時刻制御部
１５  制御線
【図１】
2009141865.tif 000003
【図２】
2009141865.tif 000004
【図３】
2009141865.tif 000005
【図４】
2009141865.tif 000006